(57)【特許請求の範囲】
【請求項１】
点火操作に応答してガスバーナへの点火動作をする点火装置(2)と、前記点火操作に応答して前記ガスバーナへのガス回路を開弁する主弁と、水回路の開閉に応答してガス回路のガス弁(14)を開閉する水圧応動ガス弁とを備え、前記点火操作以後に水回路が開放される湯沸器であって、
前記主弁は前記ガス回路における前記ガス弁(14)と直列に設けられると共に、前記点火装置(2)は、操作部(21)の操作によって可動軸(22)が進出すると動作状態となる構成であり、
前記水圧応動ガス弁は、ダイヤフラム室(D)を前記水回路に接続される第１室(11)と第２室(12)側とに区画すると共に前記水回路開放時に於ける前記第１室(11)側の圧力変化に伴う前記第２室(12)側への移動に連動して前記ガス弁(14)を開弁させるダイヤフラム(1)と、前記ダイヤフラム(1)と前記ガス弁(14)との間に介在されて前記ダイヤフラム(1)の前記第２室(12)側への移動により前記ガス弁(14)を開弁させると共にバネによる第１室(11)側への強制復帰力が付与された連動機構とを備え、
前記ダイヤフラム(1)と連動し一端が前記可動軸(22)の進出域に突出して前記可動軸(22)の進出動作を阻止した突出位置とこれから後退した後退位置との間で移動する可動板(36)を設け、
前記可動板(36)はバネ(38)によって前記突出方向に付勢され、
前記可動板(36)は、ダイヤフラム(1)の第２室(12)側への移動時には前記バネ(38)の付勢力によって前記突出方向に駆動されると共にダイヤフラム(1)の第１室(11)側への移動時には前記連動機構の前記強制復帰力によって後退される連動関係とし、
前記連動機構は、ガス弁(14)とダイヤフラム(1)とを連結する軸部とし、この軸部にはダイヤフラム(1)を第１室(11)側に付勢するバネ(17)の一端を支持するバネ受け(18)が設けられ、このバネ受け(18)は前記軸部に軸線方向移動自在に設けられ且前記軸部に設けたストッパ(19)によってダイヤフラム(1)側への移動が阻止された構成とし、
前記可動板(36)は前記軸部と平行移動自在に配置され、この可動板(36)に設けた係合片(39)が前記バネ受け(18)に対してダイヤフラム(1)側から当接する構成とした湯沸器の安全装置。
【請求項２】
ガス弁(14)はバネ(143)により閉弁方向に付勢されると共に前記軸部は前記付勢力に抗して前記ガス弁を開弁方向に駆動するものとし、前記軸部はダイヤフラム(1)の初期状態から第２室(12)側への移動距離が一定距離(L1)以上になると前記ガス弁(14)を開弁させる構成とし、前記一定距離(L1)を前記可動板(36)の前記後退位置から前記突出位置までの最小間隔(L2)よりも大きく設定した請求項１に記載の湯沸器の安全装置。
【発明の詳細な説明】
【０００１】
【発明の属する技術分野】
この発明は水圧応動ガス弁を具備する湯沸器、特に、点火装置を具備する湯沸器の安全装置に関するものである。
【０００２】
【従来の技術】
点火装置を備える湯沸器では、点火操作と連動して水回路を開放させてガスバーナを燃焼状態とする形式のもの、或は、点火操作によって種火にのみ点火された後、点火操作とは別の操作によって水回路を開放させたときにガスバーナを燃焼状態とした運転状態とするものとがある。何れの湯沸器に於いても、水回路を開放すると同時に主ガス回路を開放させる為に水圧応動ガス弁が採用される。
この水圧応動ガス弁は、水回路が開放されて熱交換器への回路が連通すると、その時の水圧の変化に応じてガス弁を開弁させるものであり、通常は、水回路に、ダイヤフラムによって第２室と第１室とに区画されたダイヤフラム室が形成され、水回路開放時の前記第１室の圧力上昇に伴って前記ダイヤフラムが第２室側に移動され、この移動力によって主ガス回路に挿入されたガス弁が開弁される構成である。従って、熱交換器への水回路が連通すると前記熱交換器に対応させたガスバーナへの主ガス回路が自動的に開放されて、このときに作動する前記点火装置により、又は、種火点火方式の場合には既に着火状態にある種火によって前記ガスバーナが燃焼状態となり熱交換運転が行われる。
【０００３】
【発明が解決しようとする課題】
ところが、冬期等において、前記ダイヤフラム室の前記第１室内の水が凍結してこの部分の体積が増大すると、ダイヤフラムが前記第２室側に移動して水圧応動ガス弁のガス弁が開弁してしまい、この状態で点火操作されると、熱交換器への水回路が前記第１室の凍結によって遮断状態にあるにもかかわらずガスバーナが燃焼状態となり得る。つまり、空焚き状態となることがある。
【０００４】
本発明は、点火装置を備える湯沸器の水圧応動ガス弁の水回路部が凍結した場合に前記空焚き状態となる不都合を確実に防止することを課題とする。また、前記空焚き防止のための動作を円滑に且確実に実行できるようにすることを課題とする。
【０００７】
【課題を解決するための手段】
請求項１について
前記課題を解決するために講じた請求項１の発明の解決手段は、『点火操作に応答してガスバーナへの点火動作をする点火装置(2)と、前記点火操作に応答して前記ガスバーナへのガス回路を開弁する主弁と、水回路の開閉に応答してガス回路のガス弁(14)を開閉する水圧応動ガス弁とを備え、前記点火操作以後に水回路が開放される湯沸器であって、
前記主弁は前記ガス回路における前記ガス弁(14)と直列に設けられると共に、前記点火装置(2)は、操作部(21)の操作によって可動軸(22)が進出すると動作状態となる構成であり、
前記水圧応動ガス弁は、ダイヤフラム室(D)を前記水回路に接続される第１室(11)と第２室(12)側とに区画すると共に前記水回路開放時に於ける前記第１室(11)側の圧力変化に伴う前記第２室(12)側への移動に連動して前記ガス弁(14)を開弁させるダイヤフラム(1)と、前記ダイヤフラム(1)と前記ガス弁(14)との間に介在されて前記ダイヤフラム(1)の前記第２室(12)側への移動により前記ガス弁(14)を開弁させると共にバネによる第１室(11)側への強制復帰力が付与された連動機構とを備え、
前記ダイヤフラム(1)と連動し一端が前記可動軸(22)の進出域に突出して前記可動軸(22)の進出動作を阻止した突出位置とこれから後退した後退位置との間で移動する可動板(36)を設け、
前記可動板(36)はバネ(38)によって前記突出方向に付勢され、
前記可動板(36)は、ダイヤフラム(1)の第２室(12)側への移動時には前記バネ(38)の付勢力によって前記突出方向に駆動されると共にダイヤフラム(1)の第１室(11)側への移動時には前記連動機構の前記強制復帰力によって後退される連動関係とし、
前記連動機構は、ガス弁(14)とダイヤフラム(1)とを連結する軸部とし、この軸部にはダイヤフラム(1)を第１室(11)側に付勢するバネ(17)の一端を支持するバネ受け(18)が設けられ、このバネ受け(18)は前記軸部に軸線方向移動自在に設けられ且前記軸部に設けたストッパ(19)によってダイヤフラム(1)側への移動が阻止された構成とし、
前記可動板(36)は前記軸部と平行移動自在に配置され、この可動板(36)に設けた係合片(39)が前記バネ受け(18)に対してダイヤフラム(1)側から当接する構成とした』ことである。
【０００８】
上記解決手段はつぎのように作用する。
通常時には、操作部(21)の操作によって前記主弁を開弁させると共に点火装置(2) を動作させると、前記操作部(21)の操作に応答して水回路が開放して前記ガス弁(14)が開弁し、ガスバーナに点火されてこれの燃焼により熱交換状態になる。  なお、種火点火方式の場合には、種火点火動作後に別操作により水回路が開放して前記ガス弁(14)が開弁して前記種火からガスバーナに点火され熱交換状態となる。
【０００９】
このときには、操作部(21)の操作によって可動軸(22)が進出位置にあり、その後、水回路が開放されるとダイヤフラム(1) がダイヤフラム室(D) 内で第２室(12)側に移動して可動板(36)がバネ(38)によって可動軸(22)の進出位置側に付勢される。しかしながら、前記連動機構と前記可動板(36)との連動関係は、前記可動板(36)の進出位置への移動力が前記バネ(38)による付勢力のみによるものであるから、可動板(36)の一端は進出状態にある可動軸(22)に当接して可動板(36)のそれ以上の突出動作が阻止される。
【００１０】
一方、ダイヤフラム(1) とガス弁(14)との連動機構はそのまま動作して前記ガス弁(14)を開弁させてガス入口(31)からガス出口(33)へのガス回路を連通させてガスバーナにガス供給される。
ダイヤフラム室(D) 内の第１室(11)が凍結すると体積膨張により、ダイヤフラム(1) が第２室(12)側に移動してガス弁(14)が開弁した状態にある。このときには、前記可動板(36)は前記連動機構と同期的に動作して可動板(36)の前記一端は突出位置に移動される。この状態で点火操作が実行されたとしても操作部(21)の可動軸(22)の進出が前記可動板(36)によって阻止されるから点火装置の動作が実行されない。なお、前記凍結によってダイヤフラム(1) が第２室(12)側に移動して水圧応動ガス弁のガス弁(14)が開弁状態にある場合もあるが、ガス回路には前記ガス弁(14)とは別に点火操作に応答して開弁される主弁があるから、この主弁は閉弁状態のまま維持される。
【００１１】
そして、前記連動機構は、ガス弁(14)とダイヤフラム(1)とを連結する軸部とし、この軸部にはダイヤフラム(1)を第１室(11)側に付勢するバネ(17)の一端を支持するバネ受け(18)が設けられ、このバネ受け(18)は前記軸部に軸線方向移動自在に設けられ且前記軸部に設けたストッパ(19)によってダイヤフラム(1)側への移動が阻止された構成とし、前記可動板(36)は前記軸部と平行移動自在に配置され、この可動板(36)に設けた係合片(39)が前記バネ受け(18)に対してダイヤフラム(1)側から当接する構成とした。
【００１２】
このものでは、ダイヤフラム(1) がバネ(17)の付勢力に抗して第２室(12)側に移動したときには、可動板(36)はバネ(38)の付勢力によって突出位置に移動され、逆に水回路が閉じた時にはバネ(17)の付勢力によって前記軸部と連結されたダイヤフラム(1) が第１室(11)側に移動されて初期状態に復帰する。このとき可動板(36)は係合片(39)とバネ受け(18)との係合によってバネ(38)の付勢力に抗して後退位置に復帰駆動される。
【００１３】
従って、各部の動作に無理が生じない。
請求項２について
請求項１の発明において『ガス弁(14)はバネ(143)により閉弁方向に付勢されると共に前記軸部は前記付勢力に抗して前記ガス弁を開弁方向に駆動するものとし、前記軸部はダイヤフラム(1)の初期状態から第２室(12)側への移動距離が一定距離(L1)以上になると前記ガス弁(14)を開弁させる構成とし、前記一定距離(L1)を前記可動板(36)の前記後退位置から前記突出位置までの最小間隔(L2)よりも大きく設定した』ものでは、第１室(11)が凍結した場合には、可動板(36)が突出位置に達するまでの前記移動距離(L2)がガス弁(14)を開弁する為の前記一定距離(L1)よりも小さいから前記ガス弁(14)が開弁される前に、必ず、可動板(22)の進出動作は阻止される。従って、凍結してガス弁(14)が開弁しているのに点火操作が行われることによって空焚き状態となる不都合がない。
【００１４】
【発明の効果】
請求項１の発明は、ダイヤフラム室(D)の第１室(11)が凍結した場合には、主弁が開弁されず、ガス回路の主弁は閉弁状態に置かれるから空焚きや生ガスの放出の不都合が防止できる。
加えて、前記開弁動作阻止の為の装置が機構的に実現できる効果がある。特に、この発明では、開弁動作を阻止するに当たって、点火操作が阻止されるものであるから、開弁動作阻止が一層確実である。
【００１５】
さらに、機構の動作が円滑である。
請求項２の発明によれば、第１室(11)が凍結した場合において点火操作されたとき、前記ガス弁(14)が開弁される前に、必ず、可動板(22)の進出動作は阻止される。凍結してガス弁(14)が開弁しているのに点火操作が行われることによって空焚き状態となる不都合がない。
【００１６】
【発明の実施の形態】
参考例
図１及び図２に示す参考例は、移動検知手段及び制御手段を電気的装置によって実現したものである。この参考例では、マイクロコンピュータによって構成される制御装置(C)によって点火装置(2)の動作が制御される。そして、前記移動検知手段としては、水圧応動ガス弁のダイヤフラム室(D)の第２室(12)側から外部に突出させた応動軸(43)と連動させたスイッチ(41)を採用する。
【００１７】
水圧応動ガス弁のガス回路にはガス弁(14)の上流側に点火装置(2) の操作部(21)と連動する主弁(42)が挿入され、前記ガス弁(14)の下流側はガスバーナ(B) に接続されている。ダイヤフラム(1) とガス弁(14)とを連結する軸部(141) とバルブボディ(3) との間にはバネ(17)が介装されて前記ダイヤフラム(1) は第１室(11)側に付勢されると共にガス弁(14)を閉弁方向に付勢している。水回路は水弁(44)を介して熱交換器に接続されている。
【００１８】
前記制御装置(C) は、図２に示すフローチャートに基づく動作を実行するように構成される。
このものでは、ダイヤフラム(1) がダイヤフラム室(D) の第２室(12)側に移動するとバネ(17)に抗して軸部(141) が同方向に移動し、ガス弁(14)が開弁すると共に前記ダイヤフラム(1) と連動させた応動軸(43)が進出するからこれによってスイッチ(41)が「オン」となる。
【００１９】
このスイッチ(41)の信号が前記制御装置(C) に入力されている。又、操作部(21)による操作信号も前記制御装置(C) に入力されている。
点火操作された場合の動作を図２に基づいて説明する。
制御装置(C) の制御動作が実行されると、先ず、記憶手段としてのフラグ(F) をゼロとする。このあと、スイッチ(41)がＯＮかどうかが判定される。(ST-01) スイッチ(41)がＯＮでなければ、正常であるからそのまま点火操作を待機した状態になり(ST-02) 、ＯＮであればフラグ(F) を「１」とする(ST-03) 。
点火操作されるとフラグ(F) がゼロかどうかが判断される(ST-04) 。
【００２０】
なお、この点火操作されたか否かの信号は、操作部(21)と連動するスイッチ（図示せず）の信号とし、このスイッチがＯＮの時の信号を点火操作信号とすれば良く、この場合、前記ＯＮ信号入力により後続のステップが実行されるものとなる。
フラグ(F) の値が「１」の場合は、そのまま制御動作が終了し、以後の動作が実行されない。
【００２１】
フラグ(F) がゼロの場合には、つまり、この時点でスイッチ(41)がＯＦＦのままにある場合には、主弁(42)が開弁されると共に水弁(44)が開弁されて点火装置(2) の動作が実行される(ST-5)。前記水弁(44)の開弁により水圧応動ガス弁が作動してガス弁(14)が開弁しガスバーナ(B) へのガス回路が連通する。
これにより、前記ガスバーナ(B) に点火されるから熱交換運転が実行される。なお前記点火装置(2) の動作の内、点火電極(P) からの放電は一定時間継続された後停止される。(ST-06)
さて、凍結によって第１室(11)内の水の膨張によりダイヤフラム(1) が第２室(12)側に移動されていると応動軸(43)が進出してスイッチ(41)が「オン」となっている。
【００２２】
従って、制御装置(C)の動作が実行された時点では、フラグ(F)が「１」にされている(ST-03)から、ステップ４で以後の動作が停止されることなり、主弁の開弁動作が実行されないこととなる。
実施の形態
この実施の形態は、ダイヤフラム室(D)内の第１室(11)の凍結時の点火動作を阻止する為に点火操作自体を機構的に阻止できるようにしたものである。このため、図３に示すように、バルブボディ(3)内には、水圧応動ガス弁のダイヤフラム(1)の動作と連動して動作する可動板(36)が設けられている。
【００２３】
前記バルブボディ(3) 内には、ガス入口(31)からガス出口(33)に至るガス回路に弁室(32)が形成され、この弁室(32)の中程に設けた弁座(16)に前記ガス弁(14)がバネ(143) の付勢力により対接している。前記バルブボディ(3) にはダイヤフラム(1) によって水が通る第１室(11)と大気開放の第２室(12)とに区画されたダイヤフラム室(D) が連設されており、このダイヤフラム(1) の第２室(12)側の面には主軸(13)が連結されて、この主軸(13)がダイヤフラム室(D) に於ける第２室(12)の構成壁及びバルブボディ(3) を貫通する。この主軸(13)が前記ガス弁(14)に連結された弁軸(15)と同軸上に位置するようにバルブボディ(3) に内蔵され、前記弁室(32)の下流側のガス出口(33a) と一定の間隔を空けて設けたバネ室(170) 内にて前記弁軸(15)と連結されている。
【００２４】
この連結部の弁軸(15)の一定範囲は大径部となっており、前記大径部と主軸(13)との境界部にはフランジ状のストッパ(19)が半径方向に突出している。前記大径部には円盤状のバネ受け(18)が摺動自在に外嵌されて前記ストッパ(19)に対接している。そして、前記バネ室(170) の軸線方向の一方の壁面と前記バネ受け(18)との間にバネ(17)が介装され、前記バネ受け(18)が前記ストッパ(19)に対接していることから、前記バネ(17)の付勢力により前記弁軸(15)は主軸(13)側に付勢され、水回路に水流がない時には、このバネ(17)の付勢力によってダイヤフラム(1) は第１室(11)側に移動した初期状態にある。なお、弁軸(15)と主軸(13)は一体でも良い。
【００２５】
前記弁軸(15)の一端はガス弁(14)に形成され且前記弁軸(15)側に開放する孔部(142) に挿入されており、前記ガス弁(14)が弁座(16)に対接し且ダイヤフラム(1) が前記初期状態にあるときには、図４に示すように、前記弁軸(15)が前記孔部(142) の底部から一定距離(L1)だけ離れた状態となっている。従って、ダイヤフラム(1) が前記初期状態から前記一定距離(L1)以上の距離を移動すると、弁軸(15)がバネ(143) の閉弁付勢力に抗してこのガス弁(14)を開弁させる。
【００２６】
バルブボディ(3) には、図３に示すように、一側に開放し、後述のバネ(38)やフック(351) 及び垂下板(37)を収容する為の機構室(34)が形成されている。この機構室(34)は蓋板(35)によって覆われると共に、前記バネ受け(18)と後述する垂下板(37)の係合片(39)を係合させるための開口(30)が形成されてこれにより前記機構室(34)と前記バネ室(170) とが連通している。
【００２７】
蓋板(35)の上側には点火装置(2) の操作部(21)が取付けられている。この操作部(21)は、ケーシング(211) によって昇降自在に保持された操作軸となっており、前記蓋板(35)との間に介装したバネ(23)によって上昇方向に付勢されている。前記操作部(21)は前記ケーシング(211) とすすみ対偶状態にあって一定姿勢で昇降する構成となっている。そして前記操作部(21)の下端の一側に可動軸(22)が垂下している。前記操作部(21)が押し込まれていない状態、つまり、初期位置では、前記可動軸(22)の下端が蓋板(35)の外面（上面）と一定の間隙がある。そして、前記可動軸(22)の下端と対向する位置には、透孔(24)が形成されており、前記可動軸(22)を押し込むとその下端が前記透孔(24)内に挿入されるようになっている。さらに、この操作部(21)は、可動軸(22)が透孔(24)内に挿入された後、後述の主弁(42)及び水弁(44)を図示しない連動機構により手動で開弁させると共に点火装置(2) を制御して点火電極(P) からの放電を行なわせるスイッチ(25)が導通するようになっている。
【００２８】
前記蓋板(35)の上面には可動板(36)が摺動自在に保持されている。前記可動板(36)を前記蓋板(35)の上面に保持する為に、バルブボディ(3) に連設された押え板(4)(4)と前記蓋板(35)の上面との間に前記可動板(36)の板厚よりも僅かに大きな間隙が形成されている。これにより、前記可動板(36)の摺動方向は前記主軸(13)及び弁軸(15)の軸線方向と平行に設定され、前記可動板(36)の初期状態では、その一端は前記透孔(24)の近傍に位置する。前記可動板(36)の他端には垂下板(37)が連設されて蓋板(35)に形成した開口から機構室(34)内に突出しその突出端に連設される係合片(39)が前記開口(30)からバネ室(170) 内に突出し、これが上記バネ受け(18)の主軸(13)側に臨んでいる。
【００２９】
なお、前記押え板(4) (4) の代わりに、図４の想像線で示すように、可動板(36)の上面に略密着すると共に可動板(36)の移動方向に回転可能なローラ(R) を軸支してもよい。この場合、可動板(36)に対する抵抗が少ない為可動板(36)の移動が妨げられない。
機構室(34)内で上記透孔(24)と前記垂下板(37)の突出部との間にはフック(351) が前記蓋板(35)から下方に突出し、このフック(351) と前記垂下板(37)との間にはバネ(38)が介装されている。これにより可動板(36)がケーシング(211) 側に付勢されている。従って、前記係合片(39)はバネ室(170) 内にて前記バネ受け(18)に対して主軸(13)側から当接することとなる。なお、バネ(38)の付勢力は弁軸(15)を付勢するバネ(17)の付勢力よりも小さく設定されている。従って、ダイヤフラム(1) の初期状態に於いては、バネ受け(18)と係合片(39)との当接によって可動板(36)の前記一端が透孔(24)から最も離れた後退位置に維持されており、ダイヤフラム(1) によって弁軸(15)がガス弁(14)を開弁する方向に駆動されると前記可動板(36)がバネ(38)の付勢力によって、この弁軸(15)と同期的に進出動作する。
【００３０】
可動板(36)の前記後退位置における前記一端と透孔(24)の上方の可動軸(22)との間隔(L2)は上記一定距離(L1)よりも小さく設定されている。
従って、第１室(11)が凍結してダイヤフラム(1) が第２室(12)側に移動されたとき、この移動と連動する弁軸(15)の先端がガス弁(14)を開弁位置に押し出すよりも前に可動板(36)の前記一端が透孔(24)を一部を塞ぐ位置（可動軸(22)の先端の下方の位置）に移動して操作部(21)が押し込まれても可動軸(22)が透孔(24)に挿入されないこととなり、この操作部(21)の押し込み動作が阻止される。
【００３１】
通常時において第１室(11)内に水流が発生したときには、ダイヤフラム(1) が前記一定距離(L1)以上に移動して、弁軸(15)の先端がガス弁(14)の孔部(142) の底部に当接して、このガス弁(14)を開弁させる。
上記構成の水圧応動ガス弁のダイヤフラム室(D) は熱交換器への水回路に挿入され、ガス入口(31)にはガス流入回路が接続され、このガス流入回路には主弁(42)が挿入されている。そして、弁室(32)の下流側のガス出口(33)がガスバーナ(B) に接続されている。
【００３２】
なお、前記主弁(42)は点火装置(2) を操作する為の操作部(21)が初期位置から押し込まれて可動軸(22)が透孔(24)内に侵入した後に開弁する。なお、操作部(21)は図示しないハートカム機構を備えたプッシュ−プッシュ機構によって進出位置に保持される。また、上記点火装置(2) は、操作部(21)の操作によってスイッチ(25)が導通して点火電極(P) から放電し、これによりガスバーナ(B) に点火させると共に図示しないタイマーによって点火後はその放電動作を停止するものである。そして、熱交換器への水回路にはダイヤフラム室(D) の下流側に操作部(21)の操作により開弁する水弁(44)が挿入されている。
【００３３】
上記水圧応動ガス弁を内蔵した湯沸器では、通常時は点火装置の操作部(21)の操作によって可動軸(22)が透孔(24)に入った後に主弁(42)が開弁されると共に前記水回路の水弁(44)が開弁される。そして、前記水弁(44)の開弁により水回路に水流が生じることから、これによりダイヤフラム(1) が第２室(12)側に移動して主弁(13)及び弁軸(15)が同方向に移動される。そして、これに連動して係合片(39)及びこれを具備させた可動板(36)の前記一端が透孔(24)側に移動するようにバネ(38)によって付勢される。ところが、可動軸(22)が透孔(24)に挿入されているから、可動板(36)の前記一端が前記可動軸(22)に側方から当接してそれ以上の摺動が阻止されるが、主軸(13)及び弁軸(15)の移動によりガス弁(14)が開弁される。これによりガスバーナ(B) へのガス回路が連通する。
【００３４】
一方、前記操作部(21)の操作に応答して上記点火装置が作動して点火電極(P) からのスパーク放電によってガスバーナ(B) に点火される。この点火装置の作動による前記放電時間は一定時間継続してその後に前記放電動作を停止し、ガスバーナ(B) の燃焼継続によって熱交換動作が継続される。そして、操作部(21)が再操作されると主弁(42)及び水弁(44)は閉弁し、水圧応動ガス弁の上記とは逆の動作によってガス弁(14)が閉弁してガスバーナ(B) の燃焼が停止される。
【００３５】
凍結によって、ダイヤフラム(1) が第２室(12)側に移動されると、弁軸(15)が同方向に移動されてこれにより可動板(36)が突出移動して透孔(24)の一部を塞ぐ。従って、第１室(11)内が凍結状態にあるときに操作部(21)が操作されたとしても、可動軸(22)が透孔(24)内に挿入されないから、主弁(42)及び水弁(44)は開弁せず、またスイッチ(25)が導通しないから点火装置(2) が始動しない。つまり、上記放電動作が実行されない。
【００３６】
上記実施の形態の各部は次のように変更できる。
１．上記実施の形態では点火装置(2)の操作部(21)の点火操作により、主弁(42)、水弁(44)を開弁させると共に、点火電極からスパーク放電し、ガスバーナ(B)に点火すると同時に出湯する方式の湯沸器を例示したが、点火操作により、主弁(42)を開弁して種火バーナに点火し、その後、別操作により水弁(44)を開弁させることにより水圧応動ガス弁の作用によってガス回路を開放することによりガスバーナに点火して出湯させる種火点火方式の湯沸器に本発明を実施してもい。
２．上記実施の形態では操作部(21)の操作により手動で主弁(42)、水弁(44)を開弁させたが、これらの弁を例えばスイッチ(25)によって開閉制御される電磁弁としてもよい。また、第２室(12)を大気開放としたが、第１室(11)より低圧の水（二次圧水）が第２室(12)の一部に流れ込む構造としてもよい。
【図面の簡単な説明】
【図１】  参考例の全体説明図
【図２】  この参考例に用いる制御装置(C)のフローチャート図
【図３】  この実施の形態の全体説明図
【図４】  一定距離(L1)及び間隔(L2)との関係図
【符号の説明】
(1) ・・・ダイヤフラム
(2) ・・・点火装置
(3) ・・・バルブボディ
(11)・・・第１室
(12)・・・第２室
(14)・・・ガス弁
(31)・・・ガス入口
(33)・・・ガス出口
(D) ・・・ダイヤフラム室
【図１】
0003691140.tif 000002
【図２】
0003691140.tif 000003
【図３】
0003691140.tif 000004
【図４】
0003691140.tif 000005